(57)【要約】【課題】撮影した写真の仕上がりを向上させて、再撮影の確率を低減することが可能な写真撮影装置を提供する。【解決手段】写真撮影装置において、撮影部がユーザーを撮影するときに、ストロボユニットからユーザーの頭部に光を照射させるとともに、ユーザーの頭部の前方下方から光が照射されるように表示部からユーザーの頭部に光を照射させる。【選択図】図１
2018036591.tif 000002
【特許請求の範囲】
【請求項１】
撮影室内に位置する被写体であるユーザーの写真を撮影する写真撮影装置において、
前記撮影室に設けられた内壁と、
前記内壁に設けられ、前記撮影室内に位置する前記ユーザーを撮影して画像情報を得る撮影部と、
前記撮影部よりも下方に位置するように前記内壁に設けられ、前記ユーザーが撮影に関する操作入力をするための操作部と、
前記撮影部よりも下方に位置するように前記内壁に設けられ、撮影に関する所定の情報を表示するための表示部と、
前記撮影部よりも上方に位置するように前記内壁に設けられ、少なくとも前記ユーザーの頭部に、前方上方から、光を照射するためのストロボユニットと、
画像情報に対応する被写体画像をプリントするプリンタと、を備え、
前記撮影部が前記ユーザーを撮影するときに、前記ストロボユニットから前記ユーザーの頭部に光を照射させるとともに、前記ユーザーの頭部の前方下方から光が照射されるように前記表示部から前記ユーザーの頭部に光を照射させる
ことを特徴とする写真撮影装置。
【請求項２】
前記表示部の画面は、ＬＣＤ（Liquid Crystal Display）であることを特徴とする請求項１に記載の写真撮影装置。
【請求項３】
前記表示部は、前記操作部と併用されたタッチパネルであることを特徴とする請求項２に記載の写真撮影装置。
【請求項４】
前記撮影部が前記ユーザーを撮影するときに、前記表示部の画面の輝度を下げることを特徴とする請求項３に記載の写真撮影装置。
【請求項５】
前記撮影部が前記ユーザーを撮影するときに、前記表示部の画面の色味を変更することを特徴とする請求項４に記載の写真撮影装置。  
【請求項６】
前記表示部の画面の色味は、グレーであることを特徴とする請求項５に記載の写真撮影装置。
【請求項７】
撮影前に、前記表示部の画面の輝度を下げて輝度を予め測定をし、前記撮影部が前記ユーザーを撮影するときに、前記表示部の画面の輝度を、前記測定した輝度に下げる
ことを特徴とする請求項４に記載の写真撮影装置。
【請求項８】
前記撮影部が前記ユーザーを撮影するときに、前記表示部の画面に所定の形状を表示させ、前記所定の形状の輝度を、前記表示部の画面に表示する背景の輝度よりも高くすることを特徴とする請求項４に記載の写真撮影装置。
【請求項９】
撮影室に設けられた内壁と、前記内壁に設けられ、前記撮影室内に位置するユーザーを撮影して画像情報を得る撮影部と、前記撮影部よりも下方に位置するように前記内壁に設けられ、前記ユーザーが撮影に関する操作入力をするための操作部と、前記撮影部よりも下方に位置するように前記内壁に設けられ、撮影に関する所定の情報を表示するための表示部と、前記撮影部よりも上方に位置するように前記内壁に設けられ、少なくとも前記ユーザーの頭部に、前方上方から、光を照射するためのストロボユニットと、画像情報に対応する被写体画像をプリントするプリンタと、を備えた写真撮影装置の制御方法であって、
前記撮影部が前記ユーザーを撮影するときに、前記ストロボユニットから前記ユーザーの頭部に光を照射させるとともに、前記ユーザーの頭部の前方下方から光が照射されるように前記表示部から前記ユーザーの頭部に光を照射させる
ことを特徴とする写真撮影装置の制御方法。
【発明の詳細な説明】
【技術分野】
【０００１】
本発明は、写真撮影装置、及び、写真撮影装置の制御方法に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体が撮影されるとともに、得られた被写体画像がプリントされる。
【０００３】
そして、例えば、プリクラや証明写真ボックスなどのセルフポートレイト撮影機として、カメラの周辺に、撮影画像をプレビューさせ、撮影前後のガイダンス用にＬＣＤ等の画面表示部を有する写真撮影装置がある（例えば、特許文献１参照）。
【０００４】
このような従来の写真撮影装置においては、当該ＬＣＤが発する光がユーザーの眼鏡に反射してカメラにより撮影され、この光が映り込むことで当該写真の仕上がりを悪くし、また、ＬＣＤが発する光の色味で写真のカラーバランスが崩れたりすることで、再撮影になる問題があった。
【先行技術文献】
【特許文献】
【０００５】
【特許文献１】特許第４６５０６７１号
【発明の概要】
【発明が解決しようとする課題】
【０００６】
ところで、既述の眼鏡に対する光の映り込みに関しては、カメラから見て眼鏡反射の範囲の外にＬＣＤの画面表示部を配置するなどの対策が考えられる。しかし、当該ＬＣＤの画面表示部をカメラから見て眼鏡反射の範囲の外に配置すると、タッチパネルの場合はユーザー操作性に影響が出ることとなる。
【０００７】
また、撮影前には、ユーザーは、ＬＣＤの画面表示部に写るライブビュー動画を見ながら立ち位置や身体の向きを調整い、撮影カウントダウンのタイミングで視線をカメラ側へ移す必要がある。このため、カメラとＬＣＤの画面表示部の距離はなるべく近い方が好ましい。
【０００８】
そこで、本発明は、このような課題を効果的に解決し得る写真撮影装置および写真撮影装置の制御方法を提供することを目的とする。
【課題を解決するための手段】
【０００９】
本発明の一態様に係る写真撮影装置は、
撮影室内に位置する被写体であるユーザーの写真を撮影する写真撮影装置において、
前記撮影室に設けられた内壁と、
前記内壁に設けられ、前記撮影室内に位置する前記ユーザーを撮影して画像情報を得る撮影部と、
前記撮影部よりも下方に位置するように前記内壁に設けられ、前記ユーザーが撮影に関する操作入力をするための操作部と、
前記撮影部よりも下方に位置するように前記内壁に設けられ、撮影に関する所定の情報を表示するための表示部と、
前記撮影部よりも上方に位置するように前記内壁に設けられ、少なくとも前記ユーザーの頭部に、前方上方から、光を照射するためのストロボユニットと、
画像情報に対応する被写体画像をプリントするプリンタと、を備え、
前記撮影部が前記ユーザーを撮影するときに、前記ストロボユニットから前記ユーザーの頭部に光を照射させるとともに、前記ユーザーの頭部の前方下方から光が照射されるように前記表示部から前記ユーザーの頭部に光を照射させる
ことを特徴とする。
【００１０】
前記写真撮影装置において、
前記表示部の画面は、ＬＣＤ（Liquid Crystal Display）であることを特徴とする。
【００１１】
前記写真撮影装置において、
前記表示部は、前記操作部と併用されたタッチパネルであることを特徴とする。
【００１２】
前記写真撮影装置において、
前記撮影部が前記ユーザーを撮影するときに、前記表示部の画面の輝度を下げることを特徴とする。
【００１３】
前記写真撮影装置において、
前記撮影部が前記ユーザーを撮影するときに、前記表示部の画面の色味を変更することを特徴とする。  
前記写真撮影装置において、
前記表示部の画面の色味は、グレーであることを特徴とする。
【００１４】
前記写真撮影装置において、
撮影前に、前記表示部の画面の輝度を下げて輝度を予め測定をし、前記撮影部が前記ユーザーを撮影するときに、前記表示部の画面の輝度を、前記測定した輝度に下げる
ことを特徴とする。
【００１５】
前記写真撮影装置において、
前記撮影部が前記ユーザーを撮影するときに、前記表示部の画面に所定の形状を表示させ、前記所定の形状の輝度を、前記表示部の画面に表示する背景の輝度よりも高くすることを特徴とする。
【００１６】
本発明の一態様に係る写真撮影装置の制御方法は、
撮影室に設けられた内壁と、前記内壁に設けられ、前記撮影室内に位置するユーザーを撮影して画像情報を得る撮影部と、前記撮影部よりも下方に位置するように前記内壁に設けられ、前記ユーザーが撮影に関する操作入力をするための操作部と、前記撮影部よりも下方に位置するように前記内壁に設けられ、撮影に関する所定の情報を表示するための表示部と、前記撮影部よりも上方に位置するように前記内壁に設けられ、少なくとも前記ユーザーの頭部に、前方上方から、光を照射するためのストロボユニットと、画像情報に対応する被写体画像をプリントするプリンタと、を備えた写真撮影装置の制御方法であって、
前記撮影部が前記ユーザーを撮影するときに、前記ストロボユニットから前記ユーザーの頭部に光を照射させるとともに、前記ユーザーの頭部の前方下方から光が照射されるように前記表示部から前記ユーザーの頭部に光を照射させる
ことを特徴とする。
【発明の効果】
【００１７】
本発明は、撮影した写真の仕上がりを向上させて、再撮影の確率を低減することが可能な写真撮影装置、及び、写真撮影装置の制御方法を提供することができる。
【図面の簡単な説明】
【００１８】
【図１】図１は、本実施形態に係る写真撮影装置１００のシステム構成の一例を示す図である。
【図２】図２は、図１に示す写真撮影装置１００にユーザーが位置した場合の各構成の配置の一例を示す図である。
【図３】図３は、図２に示す写真撮影装置１００のストロボユニットＳ及びＬＣＤ画像表示部Ｍの光と、ユーザーＸとに注目した模式図である。
【図４】図４は、図１、図２に示す写真撮影装置１００の外観の一例を示す図である。
【図５】図５は、ＬＣＤ表示部Ｍの画面の表示例を示す図である。
【図６】図６は、図１ないし図４に示す写真撮影装置１００におけるユーザーＸの写真撮影の制御フローの一例を示す図である。
【図７】図７は、図６に示す写真撮影装置１００の動作フローを実行するときのＬＣＤ表示部Ｍの画面遷移の一例を示す図である。
【図８】図８は、図６に示す写真撮影装置１００の動作フローを実行するときのＬＣＤ表示部Ｍの画面遷移の他の例を示す図である。
【図９】図９は、ユーザーＸを撮影した写真の表示例を示す図である。
【発明を実施するための形態】
【００１９】
図１は、本実施形態に係る写真撮影装置１００のシステム構成の一例を示す図である。また、図２は、図１に示す写真撮影装置１００にユーザーが位置した場合の各構成の配置の一例を示す図である。また、図３は、図２に示す写真撮影装置１００のストロボユニットＳ及びＬＣＤ画像表示部Ｍの光と、ユーザーＸとに注目した模式図である。また、図４は、図１、図２に示す写真撮影装置１００の外観の一例を示す図である。また、図５は、ＬＣＤ表示部Ｍの画面の表示例を示す図である。
【００２０】
なお、図２においては、簡単のため、図１に示す制御部１１、記憶部１６、及びＩ／Ｏユニット３１と、は、省略されている。
【００２１】
例えば、図１、図２に示すように、写真撮影装置１００は、制御部１１と、カメラ（撮影装置）Ｃと、検知センサ１３と、入力装置（操作部）１４と、ＬＣＤ表示部（表示装置）Ｍと、記憶部１６と、プリンタ１７と、Ｉ／Ｏ（Input/Output）ユニット３１と、スピーカ２２と、キャッシャー２３と、ストロボユニットＳと、を備える。
【００２２】
そして、図２、図４に示すように、ボックス形状を有する写真撮影装置１００は、ボックス本体１００ａと、ボックス本体１００ａ内に収納空間１００ｆと撮影空間（撮影室）１００ｇとを形成するよう設けられた内壁１００ｄと、を備えている。なお、このボックス本体１００ａ内の撮影空間１００ｇの天井の高さＨａは、例えば、床から１８０ｃｍ程度である（図２）。
【００２３】
また、図４に示すように、ボックス本体１００ａの外面には、プリンタ１７によりプリントされた写真を取り取出口１００ｃ、および、ユーザーＸがボックス本体１００ａ内部に出入する出入口１００ｅが設けられている。
【００２４】
また、図４に示すように、出入口１００ｅには、写真撮影を行う際に外部からの光を遮断する遮光カーテン１００ｂが取り付けられている。
【００２５】
そして、図２に示すように、撮影空間１００ｇ内には、写真撮影中にユーザーＸが座る椅子Ｙが昇降可能に設置されている。
【００２６】
また、図２に示すように、収納空間１００ｆ内には、内壁１００ｄに設けられた撮影窓２１（後述）を介して被写体（ユーザーＸ）を撮影して画像情報を得るカメラ（撮影装置）Ｃと、画像情報に対応する被写体画像をプリントしてユーザーＸに証明写真を提供するプリンタ１７と、が配置されている。
【００２７】
なお「画像情報」とは、撮影により得られた被写体画像の電子情報のことである。
【００２８】
また、内壁１００ｄには、撮影窓２１およびＬＣＤ表示部Ｍが設けられている。
【００２９】
また、撮影窓２１は、収納空間１００ｆ内に設置されたカメラ（撮影部）Ｃによって撮影空間１００ｇ内のユーザーＸを撮影する際の窓となる部分であり、椅子Ｙに腰掛けているユーザーＸの顔の高さ（Ｈｂ）に対応する高さに設けられている。
【００３０】
なお、椅子Ｙは、椅子Ｙに腰掛けているユーザーＸの顔の位置（内壁１００ｄからの距離）Ｄａが、例えば、内壁１００ｄから５５ｃｍ程度になるように設定されている（図２）。なお、既述のように、ユーザーＸの頭部の高さは、撮影時に椅子Ｙを昇降することにより調整される。
【００３１】
また、撮影窓２１の近傍には、ユーザーＸが撮影空間１００ｇ内に入ってきたことを検知する検知センサ１３が設けられている。
【００３２】
そして、ユーザーＸの入室が検知センサ１３により検知されると、ＬＣＤ表示部Ｍおよびスピーカ２２によるガイダンスを開始するようになっている。
【００３３】
ここで、図１に示す制御部１１は、ＣＰＵ（Central Processing Unit）、ＲＡＭ（Random Access Memory）等から構成される。
【００３４】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３５】
また、撮影部であるカメラＣは、光学レンズ、ＣＣＤ（Charge Coupled Device）等の光学センサ、Ａ／Ｄ（Analog/Digital）変換部等で構成されている。
【００３６】
このカメラＣは、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３７】
なお、このカメラＣの撮影の方向Ｚｃの中心の高さＨｂは、ユーザーＸの頭部（眼鏡Ｇ）の位置程度の高さであり、例えば、床から１２０ｃｍ程度である（図２）。なお、既述のように、ユーザーＸの頭部の高さは、撮影時に椅子Ｙを昇降することにより調整される。
【００３８】
このように、撮影部であるカメラＣは、内壁１００ｄに設けられ、撮影空間（撮影室）１００ｇ内に位置するユーザーＸを撮影して画像情報を得るようになっている。
【００３９】
また、検知センサ１３は、画像処理装置１の撮影室（撮影空間１００ｇ）内にユーザーＸが入室したことを検知する光学センサ等であり、その検知信号を制御部１１に出力するようになっている。
【００４０】
また、操作部である入力装置１４は、カメラ（撮影部）Ｃよりも下方に位置するように内壁１００ｄに設けられ、ユーザーＸが撮影に関する操作入力をするためのものである。
【００４１】
この入力装置１４は、写真種類を選択するための写真種選択スイッチ、撮影開始を指示するための撮影スイッチ、撮影画像のプリント出力を指示するためのプリントスイッチ等の各種機能キーを備える。
【００４２】
この入力装置１４は、例えば、後述のようにＬＣＤ表示部Ｍと一体に構成されるタッチパネルである。この入力装置１４は、操作されたキーに対応する操作信号を制御部１１に出力するようになっている。
【００４３】
また、記憶部１６は、システムプログラムの他、顔画像撮影処理プログラム、画像処理プログラム等の各種処理プログラム及び各プログラムで処理されたデータ等を記憶するようになっている。
【００４４】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００４５】
また、図１に示すＩ／Ｏユニット３１は、制御部１１と、スピーカ２２、キャッシャー２３、ストロボユニットＳとの間で情報のやり取りを仲介するインターフェイスである。
【００４６】
このＩ／Ｏユニット３１は、制御部１１からの制御信号をスピーカ２２、キャッシャー２３、ストロボユニットＳに送信するとともに、スピーカ２２、キャッシャー２３、ストロボユニットＳからのステータス信号等を制御部１１に出力するようになっている。
【００４７】
そして、スピーカ２２は、Ｉ／Ｏユニット３１を介して制御部１１から入力されるガイド用アナウンスの音声信号を出力するようになっている。
【００４８】
また、図２に示すように、内壁１００ｄには、カメラＣ（撮影窓２１）よりも上方に位置するように、撮影用のストロボユニットＳが設けられている。このストロボユニットＳは、椅子Ｙに座っているユーザーＸの頭部に、ユーザーＸの前方上方から、光を照射するようになっている。
【００４９】
このストロボユニットＳは、制御部１１から指示された発光タイミング、発光量で発光を行うようになっている。
【００５０】
ここで、図２に示すように、ストロボユニットＳの高さＨｅは、カメラＣが配置される位置よりも上の高さであり、例えば、床から１４５ｃｍ程度である（図２）。そして、このストロボユニットＳの縦幅Ｈｄは、例えば、２０ｃｍ程度である。
【００５１】
このようにストロボユニットＳは、カメラ（撮影部）Ｃよりも上方に位置するように内壁１００ｄに設けられ、少なくともユーザーＸの頭部に、前方上方から、光を照射するためのものである。
【００５２】
また、図２に示すように、撮影窓２１の近傍には、撮影料金を精算するためのキャッシャー２３が設けられている。
【００５３】
このキャッシャー２３は、硬貨や紙幣の入金口、釣銭の返金口等（図示せず）を備えた金銭登録機である。このキャッシャー２３は、入金口から入金された金額を検出して釣銭の金額を算出し、算出された釣銭金額分の硬貨又は紙幣を返金口に排出して料金精算を行うようになっている。
【００５４】
また、図２に示すように、収納空間１００ｆ内には、操作手順やその他撮影に関するガイド映像等を表示するＬＣＤ表示部Ｍが設置されている。
【００５５】
このＬＣＤ表示部Ｍは、ＬＣＤ（Liquid Crystal Display）の画面を備える。
【００５６】
このＬＣＤ表示部Ｍは、制御部１１からの制御信号に従って、撮影手順を説明するガイド画面、写真種類を選択するための選択画面等の各種操作画面や、カメラ（撮像装置）Ｃにより撮影されたユーザーＸの顔画像等を表示するようになっている。
【００５７】
また、ＬＣＤ表示部Ｍは、既述のように、入力装置１４と併用されており、撮影に関する情報をユーザーＸに向けて表示するとともに、ユーザーＸが撮影に関する操作入力を行うようになっている。このＬＣＤ表示部Ｍは、例えば、入力装置（操作部）１４と併用された操作用タッチパネルである。
【００５８】
このように、ＬＣＤ表示部Ｍは、カメラ（撮影部）Ｃよりも下方に位置するように内壁１００ｄに設けられ、撮影に関する所定の情報を表示するためのものである。
【００５９】
なお、撮影に関する情報は、ＬＣＤ表示部Ｍに表示されるとともに、ＬＣＤ表示部Ｍの下方に設けられたスピーカ２２を介して音声でユーザーＸに提供されてもよい。
【００６０】
なお、このＬＣＤ表示部Ｍの画面（ＬＣＤ）は、例えば、横幅が２４０ｍｍ、縦幅が２００ｍｍの大きさを有する。そして、このＬＣＤ表示部Ｍの画面の中心の高さＨｃは、ユーザーＸの腹部Ｘｂの位置程度の高さであり、例えば、床から８０ｃｍ程度である（図２）。そして、このＬＣＤ表示部Ｍの画面の垂線ＺＬは、例えば、水平方向（床面と平行な方向）に対して２０度傾いている。
【００６１】
ここで、例えば、写真の撮影時にメイン(トップ)ライトであるストロボユニットＳの光ＳＦによりできるユーザーＸの首下Ｘａの影が目立ち、写真の仕上がりとしては良くない（図３）。
【００６２】
しかし、図３に示すように、ユーザーＸの頭部の高さに位置するカメラＣよりも下にＬＣＤ表示部Ｍが配置されており、撮影時にはこのＬＣＤ表示部Ｍか出射した光ＭＬにより、ユーザーＸの首下Ｘａが照らされる。
【００６３】
なお、図５に示すように、ＬＣＤ表示部Ｍは、画面Ｐに表示しているユーザーＸの動画ＰＸに換えて、黒色の背景ＰＢに白色の星のマークＰＳや照明効果を向上する表示をするようにしてもよい。
【００６４】
これにより、ユーザーＸの首下Ｘａの影を消して、撮影した写真の仕上がりを向上させて、再撮影の確率を低減することができる。
【００６５】
次に、以上のような構成を有する写真撮影装置１００の動作フローの一例について説明する。
【００６６】
ここで、図６は、図１ないし図４に示す写真撮影装置１００におけるユーザーＸの写真撮影の制御フローの一例を示す図である。また、図７は、図６に示す写真撮影装置１００の動作フローを実行するときのＬＣＤ表示部Ｍの画面遷移の一例を示す図である。また、図８は、図６に示す写真撮影装置１００の動作フローを実行するときのＬＣＤ表示部Ｍの画面遷移の他の例を示す図である。また、図９は、ユーザーＸを撮影した写真の表示例を示す図である。
【００６７】
例えば、図６に示すように、ユーザーＸが写真撮影装置１００の出入口１００ｅから撮影空間１００ｇに入室する（ステップＳ１）。
【００６８】
そして、検知センサ１３はユーザーＸが入室したことを検知すると検知信号を制御部１１に出力する（ステップＳ２）。
【００６９】
そして、上記検知信号により、制御部１１が起動して（ステップＳ３）、カメラＣが撮影可能な状態にスタンバイするとともに、撮影空間１００ｇ内の定常光が点灯される。
【００７０】
さらに、制御部１１は、ＬＣＤ表示部の画面に、撮影に関する情報をユーザーＸに向けて表示し、同時にスピーカ２２から撮影ガイドに係るアナウンス音声が出力される。このように、ＬＣＤ表示部Ｍおよびスピーカ２２によるガイダンスが開始される。
【００７１】
そして、ユーザーＸは、ＬＣＤ表示部Ｍの画面に表示されたガイダンスを確認して、ユーザーＸは、撮影に関する所定の操作入力を行う。そして、さらに、ユーザーＸは、ユーザーＸの頭部（眼鏡Ｇ）の位置程度の高さが、カメラＣの撮影の方向Ｚｃの中心の高さＨｂになるように、椅子Ｙの高さを所定の高さに調整する。その後、ユーザーＸは、撮像したい体勢にポージングする（ステップＳ４）。
【００７２】
このとき、制御部１１は、図７、図８に示すように、ＬＣＤ表示部Ｍの画面Ｐ４、Ｐ４ａには、ユーザーＸのカメラＣにより撮影されている撮影動画（ライブビュー）ＰＸが表示させる。
【００７３】
これにより、ユーザーＸは、ＬＣＤ表示部Ｍの画面Ｐ４、Ｐ４ａを見て、ポージングを確認することができる。
【００７４】
その後、ユーザーＸがＬＣＤ表示部Ｍの画面に表示される撮影開始ボタン（タッチパネルである入力装置１４の撮影開始ボタン）を操作する（ステップＳ５）。
【００７５】
このステップＳ５において、制御部１１は、図７、図８に示すように、ＬＣＤ表示部Ｍの画面Ｐ５、Ｐ５ａには、ユーザーＸのカメラＣにより撮影されている撮影動画（ライブビュー）ＰＸを表示させている。
【００７６】
この撮影開始ボタンの操作により、制御部１１は、カメラＣによる写真の撮影までの時間のカウントダウンを実行するとともに、ＬＣＤ表示部Ｍの画面にカウントダウンの数字Ｎを表示させる（ステップＳ６）。
【００７７】
このステップＳ６において、制御部１１は、例えば、図７、図８に示すように、ＬＣＤ表示部Ｍの画面Ｐ６、Ｐ６ａには、例えば、ユーザーＸのカメラＣにより撮影されている撮影動画（ライブビュー）ＰＸを表示させるとともに、カウントダウンの数字Ｎを動画ＰＸにオーバレイさせ又は余白部分に表示させる。
【００７８】
そして、制御部１１は、ＬＣＤ表示部Ｍの画面の表示内容を変更する（ステップＳ７）。
【００７９】
このステップＳ７において、制御部１１は、図７に示すように、ＬＣＤ表示部Ｍの画面Ｐ７には、既述のように、黒色の背景に白色の星のマークＰＳを表示させる。
【００８０】
これにより、このＬＣＤ表示部Ｍか出射した光ＭＬにより、ユーザーＸの首下Ｘａが照らされることとなる。
【００８１】
また、このステップＳ７において、図８に示すように、ＬＣＤ表示部Ｍの画面Ｐ７ａには、ユーザーＸのカメラＣにより撮影されている撮影動画（ライブビュー）ＰＸの輝度を下げて表示させるようにしてもよい。この場合、撮影前（ライブビュー表示時）に、ＬＣＤ表示部Ｍの画面の輝度を下げて、撮影された写真のカラーバランスが崩れない輝度レベルを予め測定をして記憶部１６に記憶しておく。そして、カメラＣがユーザーＸを撮影するときに、ＬＣＤ表示部Ｍの画面の輝度を、記憶部１６に記憶されている測定した輝度に下げるよう設定する。
【００８２】
そして、制御部１１は、撮影までのカウントダウンの終了後、カメラＣによる写真の撮影を実行する（ステップＳ８）。制御部１１は、カメラＣ及びストロボユニットＳを制御して、被写体であるユーザーＸの撮影が実行される。
【００８３】
撮影後、記憶部１６に記憶されている画像処理プログラムが読み出され、撮影によりカメラ１２から入力された画像データに画像処理が施される。
【００８４】
このステップＳ８においても、制御部１１は、図７に示すように、ＬＣＤ表示部Ｍの画面Ｐ８には、継続して黒色の背景に白色の星ＰＳを表示させる。
【００８５】
このように、カメラＣがユーザーＸを撮影するときに、ＬＣＤ表示部Ｍの画面に所定の形状（矩形、円形等）を表示させ、当該所定の形状の輝度を、ＬＣＤ表示部Ｍの画面に表示する背景の輝度よりも高くする。
【００８６】
これにより、例えば、図９に示すように、写真の撮影時に、ユーザーＸの眼鏡Ｇに、矩形の像Ａ１や星形の像Ａ２を映り込ませることができる。すなわち、ＬＣＤ表示部Ｍの画面に表示される像をユーザーＸの眼鏡Ｇに調整可能な像を映り込ませて、撮影される写真の仕上がりの嗜好性を向上することができる。
【００８７】
特に、アクセントとして眼鏡に反射させて映させることで、ＬＣＤ表示部Ｍの画面の面あたりの光量を下げること無く、影消し効果を得ることができる。
【００８８】
なお、図８に示すように、ＬＣＤ表示部Ｍの画面Ｐ８ａには、ユーザーＸのカメラＣにより撮影されている撮影動画（ライブビュー）ＰＸの輝度を下げて表示させるようにしてもよい。すなわち、カメラ（撮影部）ＣがユーザーＸを撮影するときに、ＬＣＤ表示部Ｍの画面の輝度を下げるようにする。
【００８９】
なお、ステップＳ７、Ｓ８のＬＣＤ表示部の画面の表示変更とカメラＣの撮影は、ユーザーＸの瞬き程度の0.1〜0.2秒で遷移するのが好ましい。
【００９０】
特に、カメラＣがユーザーＸを撮影するときに、ＬＣＤ表示部Ｍの画面の色味を変更する（このときのＬＣＤ表示部Ｍの画面の色味は、例えば、グレーである）。  
既述のステップＳ８においてカメラＣにより写真を撮影した後、制御部１１は、再撮影（撮り直し）が必要であるか否かを選択するためのボタンを表示させるように、ＬＣＤ表示部の画面の表示を変更する（ステップＳ９）。
【００９１】
そして、ユーザーＸが、ＬＣＤ表示部Ｍの画面に表示される再撮影（撮り直し）を選択するボタンを操作した場合には、制御部１１は、既述のステップＳ４に戻り、再撮影を実行する（ステップＳ１０）。
【００９２】
一方、ユーザーＸが、ＬＣＤ表示部Ｍの画面に表示される再撮影（撮り直し）を選択するボタンを操作しない（言い換えれば、撮影した写真で承諾する旨のボタンを操作した）場合には、制御部１１は、例えば、ＬＣＤ表示部Ｍの画面に、ユーザーＸにキャッシャー２３への料金を入金することを案内する旨の表示をさせる。
【００９３】
次いで、が投入されると、制御部１１は、キャッシャー２３において入金された金額のチェックを実行する。そして、キャッシャー２３において選択された写真サイズ、種類に応じた料金の精算を実行し、釣銭を返金口に排出することで、入金処理が完了する（ステップＳ１１）。
【００９４】
そして、ステップＳ１１において、入金処理が完了すると、制御部１１は、画像処理済みの画像データをプリンタ１７に出力し、プリンタ１７により写真のプリント出力を実行し、写真プリントが取出口１００ｃに排出されると（ステップＳ１２）と、本処理は終了する。
【００９５】
ここで、上述のように、ステップＳ７、Ｓ８により、カメラ（撮影部）ＣがユーザーＸを撮影するときに、ストロボユニットＳからユーザーＸの頭部に光を照射させるとともに、ユーザーＸの頭部の前方下方から光が照射されるようにＬＣＤ表示部ＭからユーザーＸの頭部に光を照射させる。
【００９６】
これにより、写真撮影時に、ＬＣＤ表示部Ｍか出射した光ＭＬにより、ユーザーＸの首下Ｘａが照らして、ユーザーＸの首下Ｘａの影を消して、撮影した写真の仕上がりを向上させ、さらには眼鏡反射やカラーバランスの崩れを抑えることができる。
【００９７】
このため、ユーザーＸは、写真の再撮影を選択する必要性が低下し、再撮影の確率が低減することとなる。
【００９８】
以上のように、本実施形態に係る写真撮影装置および写真撮影装置の制御方法によれば、撮影した写真の仕上がりを向上させて、再撮影の確率を低減することができる。
【００９９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１００】
１００  写真撮影装置
１１  制御部
Ｃ  カメラ（撮影装置）
１３  検知センサ
１４  入力装置
Ｍ  ＬＣＤ表示部（表示装置）
１６  記憶部
１７  プリンタ
２１  撮影窓  
３１  Ｉ／Ｏ（Input/Output）ユニット
２２  スピーカ
２３  キャッシャー
Ｓ  ストロボユニット
【図１】
2018036591.tif 000003
【図２】
2018036591.tif 000004
【図３】
2018036591.tif 000005
【図４】
2018036591.tif 000006
【図５】
2018036591.tif 000007
【図６】
2018036591.tif 000008
【図７】
2018036591.tif 000009
【図８】
2018036591.tif 000010
【図９】
2018036591.tif 000011